(57)【要約】【課題】  施術者が従来のスティック状の器具を手に持ってラジオ波を導入すると、ラジオ波を導入する以外の施術を同時に行うことはできなかった。また、施術者は主に整体師や美容師などであり、自己の手指を用いた施術を、温熱効果を付与しながら長時間にわたり行うことでサービスの価値向上を実現したいとの希望もあった。【解決手段】  人体に温熱効果を与える特定周波数の美容電気信号を電源装置から受信可能な信号受信部に連接されてなるベルトが、前記信号受信部が受信した前記美容電気信号の一部を導電可能な導電性材料によって構成されてなることを特徴とする美容電気信号導入器を提供する。これにより、被施術者は美容電気信号Ｓによる温熱効果を受けながら、さらに施術者による整体などの施術を同時に受けることができると共に、施術者が長時間にわたり継続的な施術を行う場合であっても、施術者の腕に対する過度な発熱による障害の発生を防止することができる。【選択図】      図１
2020151455.tif 000002
【特許請求の範囲】
【請求項１】
人体に温熱効果を与える特定周波数の美容電気信号を電源装置から受信可能な信号受信部と、
前記信号受信部に連接されて、施術者の腕に装着可能なベルトと、
前記信号受信部の一部を構成する面であると共に、前記ベルトを施術者の腕に装着した際に、肌に密着して施術者の体に前記美容電気信号を導入可能とする信号導入面と、を有し、
前記ベルトは、前記美容電気信号を導電可能な導電性材料によって構成されてなると共に、前記信号受信部が受信した前記美容電気信号の一部が伝導される状態に前記信号受信部と連接されてなる
ことを特徴とする美容電気信号導入器。
【請求項２】
前記ベルトの全部または一部が、金属によって構成されてなる
ことを特徴とする請求項１に記載の美容電気信号導入器。
【請求項３】
前記美容電気信号がラジオ波である
ことを特徴とする請求項１もしくは２に記載の美容電気信号導入器。
【請求項４】
前記信号受信部は、接続コードを介して前記電源装置から送信される前記美容電気信号を受信可能である
ことを特徴とする請求項１〜３のいずれか１つに記載の美容電気信号導入器。
【請求項５】
請求項１〜４のいずれかに記載の美容電気信号導入器と、
前記美容電気信号導入器から導入された前記美容電気信号を人体から導出する対電極と、を有する
ことを特徴とする美容器。
【発明の詳細な説明】
【技術分野】
【０００１】
本発明は、人体の美容又は健康改善に効果のある電磁波を体内へ導入するために用いられる美容電気信号導入器、及び美容器に関する。
【背景技術】
【０００２】
近年は、人々の健康への意識の高まりにより、様々な健康器具が開発されている。特に、ラジオ波を用いた健康器具によれば、分子振動によって生じさせるジュール熱を利用することによって、体内から体を温め、痩身効果等を発揮できるとされている。
【先行技術文献】
【特許文献】
【０００３】
【特許文献１】特開２０１０−１１０３９４号公報
【発明の概要】
【発明が解決しようとする課題】
【０００４】
しかし、従来技術はラジオ波を体内へ導入するために、先端に電極板を備えるスティック状の器具を施術者が手に持って、患部近傍へ押当てるものであった。このような従来の器具は、ラジオ波による温熱効果がスティック状の器具に触れている肌近傍のごく浅い場所に発生するため、筋肉内などのより深部に存在する患部には温熱効果を付与することができなかった。
【０００５】
さらに、施術者がスティック状の器具を手に持ってラジオ波を導入するため、ラジオ波を導入する以外の施術を同時に行うことはできなかった。また、施術者は主に整体師や美容師などであり、自己の手指の動きを用いた施術を、温熱効果を付与しながら長時間にわたり行うことでサービスの価値向上を実現したいとの希望もあった。
【課題を解決するための手段】
【０００６】
そこで、上記課題を解決するための手段として本発明に係る美容電気信号導入器は、人体に温熱効果を与える特定周波数の美容電気信号を電源装置から受信可能な信号受信部と、前記信号受信部に連接されて、施術者の腕に装着可能なベルトと、前記信号受信部の一部を構成する面であると共に、前記ベルトを施術者の腕に装着した際に、肌に密着して施術者の体に前記美容電気信号を導入可能とする信号導入面と、を有し、前記ベルトは、前記美容電気信号を導電可能な導電性材料によって構成されてなると共に、前記信号受信部が受信した前記美容電気信号の一部が伝導される状態に前記信号受信部と連接されてなることを特徴とする。なお、前記ベルトは、その全部または一部が前記導電性材料によって構成されてなるものであってもよい。
【０００７】
信号受信部は、電源装置からの美容電気信号の受信を有線によって行ってもよく、また、無線手段を用いて受信することとしてもよい。有線によって受信した場合には美容電気信号を確実に受信して施術者に導入することができる。無線手段を用いた場合には、有線のように線が体に絡まることがないため、施術者が適宜位置を変えながら施術をする際に邪魔になることがない。
【０００８】
また前記ベルトの全部または一部が、金属によって構成されてなることが好ましい。
【０００９】
さらに、前記美容電気信号がラジオ波であることが好ましい。なお、ラジオ波とは、周波数３０〜３００ＭＨｚ（波長１００ｋｍ〜１ｍ）の電磁波をいう。
【００１０】
さらに、前記信号受信部は、接続コードを介して前記電源装置から送信される前記美容電気信号を受信可能であることが好ましい。
【００１１】
また本発明に係る美容器は、美容電気信号導入器と、前記美容電気信号導入器から導入された前記美容電気信号を人体から導出する対電極と、を有することを特徴とする。
【発明の効果】
【００１２】
施術者は、本発明を腕に装着した状態で被施術者の体に触れて、施術者の手から前記美容電気信号を被施術者の体内に導入することによって、温熱効果等による肌の引き締め等の美容効果を発揮させることができる。
【００１３】
さらに、ベルトが前記美容電気信号を導電可能な導電性材料によって構成されてなることにより、ベルトと肌とが接触している部分からも美容電気信号を導入することができる。これにより、施術者に導入される美容電気信号を、信号導入面に接触している肌部分に集中させずに分散させることができる。そのため、本体底板のみから導入される美容電気信号により施術者の腕に過度の発熱が発生することを防止できる。そして、施術者が長時間にわたり継続的な施術を行う場合であっても、施術者の腕に低温火傷などの障害の発生を防止することができる。
【図面の簡単な説明】
【００１４】
【図１】美容電気信号導入器１の全体を表す斜視図である。
【図２】ケース状本体２の底面図である。
【図３】ケース状本体２のＡ−Ａ断面図である。
【図４】美容電気信号導入器１を腕Ｗに装着した状態を示す図である。美容電気信号導入器１と電源装置Ｅ、及び電源装置Ｅと対電極１２との電気的接続は二点鎖線に示す。
【図５】対電極１２の一例を示す斜視図である。対電極１２と電源装置Ｅとの電気的接続は二点鎖線に示す。
【発明を実施するための形態】
【００１５】
以下、本発明に係る実施の形態を、図を参照しながら詳しく説明する。なお、本明細書及び図面において、実質的に同一の機能構成を有する構成要素については、同一の符号を付することにより重複説明を省略する。
【００１６】
図１は本発明に係る美容電気信号導入器１の全体の概略を示す斜視図である。美容電気信号導入器１は、腕時計のケース程度の大きさに形成されてなるケース状本体２と、ケース状本体の一端及び他端と連接されてなるベルト３とを有する。
【００１７】
ケース状本体２は、下半部が金属製の中空箱体に形成されてなる信号受信部４であり、電源装置Ｅから送信された美容電気信号Ｓを受信する。ケース状本体２の上半部は、装飾部５である。装飾部５は、側面に電源装置Ｅと接続されてなる接続コード６を導入する小孔７を有し、接続コード６と信号受信部４との接続部を被覆して外観上の美感を向上させる。ただし、ケース状本体２は、信号受信部４のみからなることとしてもよい。接続コード６は、図３に示すように、信号受信部４の内部へ引き込まれ、内面にネジ止めされて美容電気信号Ｓを信号受信部４へ導電させる。
【００１８】
信号受信部４は、図２に示すように、美容電気信号導入器１を施術者の腕Ｗに装着した際に底面が腕Ｗの肌表面と密着することにより、信号導入面１０として構成されてなる金属製の本体底板８を有する。本体底板８は、一端が信号受信部４の側壁下端部に設けられた金属製の軸９と枢着されてなる。本体底板８の他端を下方に軸回転して開けば信号受信部４の内部を開放することができる。
【００１９】
また、本実施の形態においては、図２及び図３に示すように、信号受信部４の他方の側壁から外方に金属製の連接軸１１が、前記他方の側壁の外面と隙間をあけて突設されてなる。ベルト３は、一方のエンドピースが軸９と接続されると共に、他方のエンドピースが連接軸１１と接続されることにより、信号受信部４が受信した美容電気信号Ｓの一部が伝導する状態で信号受信部４と連接されてなる。
【００２０】
美容電気信号導入器１を使用するのは、主に整体師や美容師等の施術者である。施術者は、図４に示すように、ベルト３を腕Ｗに巻いて美容電気信号導入器１を装着する。一方、被施術者の体には、図５に示すような薄い平板状に形成されてなる対電極１２を被施術者の肌に接触させて設置しておく。対電極１２の設置は、例えば施術用のベッドに仰向きに寝た状態の被施術者の背中と前記ベッドとの間に対電極１２を挿し入れて、被施術者の背中に接触面１２ａを接触させることで行うことができる。対電極１２を設置することにより、美容電気信号導入器１から施術者を介して被施術者に導入された美容電気信号Ｓを、被施術者の体から導出して電源装置Ｅへ戻すことができ、美容器１３（図４参照）を構成することができる。
【００２１】
施術者は、腕Ｗに美容電気信号導入器１を装着し、電源装置Ｅの電源をＯＮにして美容電気信号Ｓを出力可能な状態とした後、対電極１２が設置された被施術者の体に触れて施術を行う。施術者が被施術者の体に触れると、美容電気信号Ｓが信号導入面１０から施術者の腕Ｗに導入され、さらに、施術者の手から被施術者の体に美容電気信号Ｓを導入することができる。被施術者の体に導入された美容電気信号Ｓは、対電極１２から電源装置Ｅに戻る間に、被施術者の体内で温熱効果等を発揮することができる。ここで、美容電気信号Ｓは、ラジオ波であることが好ましい。ラジオ波を用いることで、ジュール熱を被施術者の体内に発生させて体を温める温熱効果を発揮させることができるからである。
【００２２】
また、対電極１２を設置することにより、温熱効果を施術者が被施術者の体に触れている部分から離れた体の深部において発生させることができるため、筋肉の内部など、患部に直接温熱効果を付与することができる。さらに、本発明に係る美容電気信号導入器１は施術者の腕Ｗに巻いて装着するため、美容電気信号Ｓを導入する際に施術者は手を自由に使って施術を行うことができる。そのため、被施術者は美容電気信号Ｓによる温熱効果を受けながら、さらに施術者による整体などの施術を同時に受けることができ、温熱効果との相乗的な美容効果を期待することができる。
【００２３】
ここで、美容電気信号導入器１は、信号導入面１０からだけでなく、金属製のベルト３からも施術者に美容電気信号Ｓを導入することができる。ベルト３が導電性の材料によって構成されて信号受信部４が受信した美容電気信号Ｓの一部がベルト３に伝導することにより、ベルト３からも施術者に美容電気信号Ｓを導入することができる。そのため、施術者に導入される美容電気信号Ｓを信号導入面１０に接触している肌部分に集中させることなく、ベルト３が接触している他の肌部分に分散させることができる。これにより、本体底板８のみから美容電気信号Ｓが導入される場合に施術者の腕Ｗに対する過度な発熱の発生を防止できる。そして、施術者が長時間にわたり継続的な施術を行う場合であっても、施術者の腕Ｗに低温火傷などの障害の発生を防止することができる。
【符号の説明】
【００２４】
１  美容電気信号導入器
２  ケース状本体
３  ベルト
４  信号受信部
６  接続コード
８  本体底板
１０  信号導入面
【図１】
2020151455.tif 000003
【図２】
2020151455.tif 000004
【図３】
2020151455.tif 000005
【図４】
2020151455.tif 000006
【図５】
2020151455.tif 000007